(57)【要約】【課題】伸縮性を有する記録媒体の伸長時にデザインが損なわれない画像を形成することができる画像形成システムを提供する。【解決手段】画像形成システム１は、画像形成装置４と、情報処理装置５とを備える。情報処理装置５は、縮小情報、伸長情報及び元画像データに基づいて加工画像データを生成する。記録媒体Ｔは、縮んだ状態である縮小状態と、伸びた状態である伸長状態とを有する。縮小情報は、記録媒体Ｔの縮小状態におけるサイズを示す。伸長情報は、記録媒体Ｔの伸長状態におけるサイズを示す。元画像データは、伸長状態の記録媒体Ｔ２に表示される表示画像を示す。加工画像データは、表示画像Ｐ２が縮小された縮小画像Ｐ１を示す。画像形成装置４は、加工画像データに基づいて、縮小状態の記録媒体Ｔ１に縮小画像Ｐ１を形成する。【選択図】図１
2018165883.tif 000002
【特許請求の範囲】
【請求項１】
伸縮性を有する記録媒体に画像を形成する画像形成装置と、
縮小情報、伸長情報及び第１画像データに基づいて第２画像データを生成する情報処理装置と
を備え、
前記記録媒体は、縮んだ状態である縮小状態と、伸びた状態である伸長状態とを有し、
前記縮小情報は、前記記録媒体の前記縮小状態におけるサイズを示し、
前記伸長情報は、前記記録媒体の前記伸長状態におけるサイズを示し、
前記第１画像データは、前記伸長状態の前記記録媒体に表示される表示画像を示し、
前記第２画像データは、前記表示画像が縮小された縮小画像を示し、
前記画像形成装置は、前記第２画像データに基づいて、前記縮小状態の前記記録媒体に前記縮小画像を形成する、画像形成システム。
【請求項２】
前記記録媒体は、前記伸長状態において被装着物に装着される装着物であり、
前記画像形成システムは、前記被装着物を撮像して撮像情報を取得する撮像装置を更に備え、
前記撮像装置は、前記伸長情報として前記撮像情報を前記情報処理装置に出力する、請求項１に記載の画像形成システム。
【請求項３】
前記被装着物に前記表示画像を投影する投影装置を更に備え、
前記撮像装置は、前記表示画像が投影された前記被装着物を撮像して前記撮像情報を取得する、請求項２に記載の画像形成システム。
【請求項４】
前記情報処理装置は、前記縮小情報と前記伸長情報とに基づいて、前記記録媒体の伸縮方向及び前記記録媒体の伸縮率を算出する、請求項１から請求項３のいずれか１項に記載の画像形成システム。
【請求項５】
前記情報処理装置は、前記伸縮方向と前記伸縮率とに基づいて前記縮小画像を生成する、請求項４に記載の画像形成システム。
【請求項６】
前記画像形成装置は、前記記録媒体にインクで前記縮小画像を形成する画像形成部を有する、請求項１から請求項５のいずれか１項に記載の画像形成システム。
【請求項７】
前記表示画像は、１次元コード、２次元コード又はＡＲマーカーである、請求項１から請求項６のいずれか１項に記載の画像形成システム。
【発明の詳細な説明】
【技術分野】
【０００１】
本発明は、画像形成システムに関する。
【背景技術】
【０００２】
特許文献１に記載の画像形成方法は、Ｔシャツのような布状繊維製品に画像を形成する方法であり、インク吸着層形成工程と、インクジェット工程とを有する。インク吸着層形成工程において、布状繊維製品には、インク吸着用のバインダー組成物がスクリーン捺染されてインク吸着層が形成される。また、インクジェット工程において、布状繊維製品のインク吸着層に、インクで画像が形成される。
【先行技術文献】
【特許文献】
【０００３】
【特許文献１】特開２０１６−１１７９７５号公報
【発明の概要】
【発明が解決しようとする課題】
【０００４】
しかしながら、特許文献１に記載の画像形成方法によって形成された画像は、布状繊維製品が伸びることによって変形する。したがって、特許文献１に記載の画像形成方法では、伸縮性を有する記録媒体の伸長時に、記録媒体に形成された画像のデザインが損なわれるおそれがある。
【０００５】
本発明は、上記課題に鑑みてなされたものであり、伸縮性を有する記録媒体の伸長時にデザインが損なわれない画像を形成することができる画像形成システムを提供することを目的としている。
【課題を解決するための手段】
【０００６】
本発明に係る画像形成システムは、画像形成装置と、情報処理装置とを備える。前記画像形成装置は、伸縮性を有する記録媒体に画像を形成する。前記情報処理装置は、縮小情報、伸長情報及び第１画像データに基づいて第２画像データを生成する。前記記録媒体は、縮んだ状態である縮小状態と、伸びた状態である伸長状態とを有する。前記縮小情報は、前記記録媒体の前記縮小状態におけるサイズを示す。前記伸長情報は、前記記録媒体の前記伸長状態におけるサイズを示す。前記第１画像データは、前記伸長状態の前記記録媒体に表示される表示画像を示す。前記第２画像データは、前記表示画像が縮小された縮小画像を示す。前記画像形成装置は、前記第２画像データに基づいて、前記縮小状態の前記記録媒体に前記縮小画像を形成する。
【発明の効果】
【０００７】
本発明によれば、伸縮性を有する記録媒体の伸長時にデザインが損なわれない画像を形成することができる。
【図面の簡単な説明】
【０００８】
【図１】本発明の実施形態に係る画像形成システムを示すブロック図である。
【図２】本発明の実施形態に係る情報処理装置の処理部による画像処理を示すフローチャートである。
【図３】（ａ）は、縮小状態の記録媒体の一例を示す図であり、（ｂ）は、伸長状態の記録媒体の一例を示す図である。
【図４】本発明の他の実施形態に係る画像形成システムを示すブロック図である。
【発明を実施するための形態】
【０００９】
以下、図面を参照して本発明の実施形態を説明する。ただし、本発明は以下の実施形態に限定されない。なお、図中、同一、又は相当部分については、同一の参照符号を付して説明を繰り返さない。
【００１０】
図１を参照して、本発明の実施形態に係る画像形成システム１について説明する。図１は、本発明の実施形態に係る画像形成システム１を示すブロック図である。図１に示すように、本実施形態の画像形成システム１は、撮像装置２と、画像形成装置４と、情報処理装置５とを備える。
【００１１】
画像形成装置４は、記録媒体に画像を形成する。詳しくは、画像形成装置４は、記録媒体の所定の位置に画像を形成する。
【００１２】
記録媒体は、伸縮性を有する。記録媒体は、縮んだ状態である縮小状態と、伸びた状態である伸長状態とを有する。記録媒体は、例えば、伸長状態において被装着物に装着される装着物である。本実施形態において、装着物は、衣服のような布状製品であり、被装着物は、布状製品を着用する着用者である。記録媒体は、例えば、Ｔシャツ、スポーツタイツ、トレーナー、パンツ、靴下、マスク、又は帽子である。
【００１３】
画像形成装置４は、情報処理装置５から入力される加工画像データに基づいて、縮小状態の記録媒体に縮小画像を形成する。加工画像データは、本発明の第２画像データの一例である。加工画像データは、縮小状態の記録媒体に形成される縮小画像を示す。
【００１４】
画像形成装置４は、画像形成部４１と、操作パネル４２と、制御部４３とを有する。操作パネル４２は、例えば、ディスプレーを含む。ディスプレーは、各種の画面を表示する。また、操作パネル４２は、タッチパネル機能を有する。操作パネル４２は、使用者の操作に応じた操作信号を制御部４３に出力する。使用者の操作は、例えば、画像形成部４１に画像の形成を開始させる操作を含む。
【００１５】
制御部４３は、プロセッサーと、記憶部とを有する。プロセッサーは、例えば、ＣＰＵ（Ｃｅｎｔｒａｌ  Ｐｒｏｃｅｓｓｉｎｇ  Ｕｎｉｔ）である。記憶部は、例えば、半導体メモリー及びＨＤＤ（Ｈａｒｄ  Ｄｉｓｋ  Ｄｒｉｖｅ）を含む。プロセッサーは、記憶部に記憶されたコンピュータープログラムに基づいて、画像形成部４１を制御する。
【００１６】
画像形成部４１は、複数色のインクで記録媒体に縮小画像を形成する。複数色のインクは、例えば、イエロー色、マゼンタ色、シアン色、及びブラック色のインクを含む。
【００１７】
本実施形態において、記録媒体には、縮小画像が形成されるよりも前に、液状の薬剤が付着され得る。液状の薬剤は、記録媒体に付着して、例えば、インクを吸着する層を形成する。インクを吸着する層は、例えば、記録媒体の縮小画像が形成される位置にのみ形成される。
【００１８】
画像形成部４１は、例えば、複数の記録ヘッドを有する。複数の記録ヘッドは、イエロー色のインクを吐出する記録ヘッドと、マゼンタ色のインクを吐出する記録ヘッドと、シアン色のインクを吐出する記録ヘッドと、ブラック色のインクを吐出する記録ヘッドとを有する。なお、各記録ヘッドは、ラインヘッド又はシリアルヘッドである。
【００１９】
画像形成部４１は、例えば、搬送中の記録媒体が各記録ヘッドに対向する位置を通過する際に、各記録ヘッドから記録媒体に向かってインクを吐出する。制御部４３は、加工画像データに基づいて、記録媒体に縮小画像を形成するように画像形成部４１を制御する。この結果、画像形成部４１によって、記録媒体に縮小画像が形成される。
【００２０】
撮像装置２は、撮像部２１と、表示部２２とを有する。撮像装置２は、例えば、静止画又は動画を撮像可能なカメラである。撮像部２１は、被装着物及び縮小状態の記録媒体を撮像し得る。撮像部２１は、被装着物を撮像した撮像画像を伸長情報として情報処理装置５に出力する。また、撮像部２１は、縮小状態の記録媒体を撮像した撮像画像を縮小情報として情報処理装置５に出力する。
【００２１】
伸長情報は、被装着物のサイズを示す。本実施形態において、伸長情報は、伸長状態の記録媒体が装着される被装着物が、撮像装置２によって撮像された撮像画像である。被装着物には、伸長状態の記録媒体が装着される。したがって、伸長情報が示すサイズは、伸長状態の記録媒体のサイズに対応する。縮小情報は、記録媒体の縮小状態におけるサイズを示す。本実施形態において、縮小情報は、縮小状態の記録媒体が、撮像装置２によって撮像された撮像画像である。
【００２２】
表示部２２は、撮像部２１によって撮像される撮像画像を表示する。表示部２２は、例えば、ディスプレーを含む。撮像装置２が表示部２２を有することにより、撮像者は、表示部２２を介して、被装着物又は縮小状態の記録媒体を確認しながら被装着物又は縮小状態の記録媒体を撮像することができる。
【００２３】
情報処理装置５は、縮小情報、伸長情報及び元画像データに基づいて加工画像データを生成する。元画像データは、本発明の第１画像データの一例である。元画像データは、伸長状態における記録媒体に表示される表示画像を示す。表示画像は、例えば、デザイン性を有する画像、又は配列に規則性を有する画像である。デザイン性を有する画像は、例えば、風景画、静物画、博物画、人物画、又は抽象画を示す。配列に規則性を有する画像は、例えば、花柄、幾何学模様、１次元コード、２次元コード又はＡＲマーカーを示す。
【００２４】
本実施形態において、情報処理装置５は、通信ネットワークを介して、画像形成システム１の外部に配置された外部入力装置８と接続される。外部入力装置８は、例えば、サーバー装置である。通信ネットワークは、例えば、インターネット、又は専用回線である。外部入力装置８は、情報処理装置５の要求に応じて、縮小情報及び元画像データを情報処理装置５に出力し得る。また、外部入力装置８は、表示画像が形成される記録媒体の位置を示す位置情報を情報処理装置５に入力し得る。
【００２５】
情報処理装置５は、処理部６と、記憶部７とを有する。処理部６は、例えば、ＣＰＵである。記憶部７は、例えば、半導体メモリー及びＨＤＤを含む。情報処理装置５は、例えば、パーソナルコンピューターである。なお、元画像データは、情報処理装置５を用いて作成されてもよい。
【００２６】
記憶部７は、処理部６によって実行されるコンピュータープログラムを記憶する。また、記憶部７は、撮像装置２及び外部入力装置８から情報処理装置５に出力された伸長情報、縮小情報記及び元画像データを記憶する。処理部６は、記憶部７に記憶されたコンピュータープログラムを実行することにより、縮小情報、伸長情報及び元画像データから加工画像データを生成する。
【００２７】
詳しくは、処理部６は、算出部６１と、画像データ生成部６２とを有する。処理部６は、縮小情報と伸長情報とに基づいて、記録媒体の伸縮方向及び記録媒体の伸縮率を算出する。処理部６は、算出した伸縮方向と算出した伸縮率とに基づいて、元画像データに対して画像処理を実行して、縮小画像を示す加工画像データを生成する。処理部６は、加工画像データを画像形成装置４に出力する。
【００２８】
以下、処理部６について、更に説明する。算出部６１は、例えば、撮像画像を画像処理することによって、被装着物のサイズ及び縮小状態の記録媒体のサイズを測定する。詳しくは、算出部６１は、被装着物の撮像画像に基づいて、被装着物の各部のサイズを測定する。被装着物の各部のサイズは、例えば、被装着物の各部の縦方向及び横方向の長さである。
【００２９】
算出部６１は、縮小状態の記録媒体の撮像画像に基づいて、縮小状態の記録媒体の各部のサイズを測定する。縮小状態の記録媒体の各部のサイズは、被装着物と同様に、縮小状態の記録媒体の各部の縦方向及び横方向の長さである。
【００３０】
また、算出部６１は、被装着物の各部のサイズと縮小状態の記録媒体の各部のサイズとを比較して、記録媒体の各部における伸縮方向と記録媒体の各部における伸縮率とを算出する。算出部６１は、算出した伸縮方向及び伸縮率を、例えば、記録媒体の各部に関連付けて記憶部７に記憶させる。
【００３１】
画像データ生成部６２は、記憶部７に記憶された伸縮方向及び伸縮率に基づいて、加工画像データを生成する。詳しくは、画像データ生成部６２は、表示画像が形成される記録媒体の位置に基づいて、記憶部７に記憶された各部の伸縮方向及び伸縮率のうちから、表示画像が形成される位置に対応する伸縮方向及び伸縮率を特定する。画像データ生成部６２は、特定した伸縮方向及び伸縮率に基づいて表示画像を縮小する。具体的には、表示画像が、伸縮率に応じて伸縮方向に縮小される。この結果、縮小画像を示す加工画像データが生成される。画像データ生成部６２は、生成した加工画像データを画像形成装置４に出力する。
【００３２】
次に、図１及び図２を参照して、処理部６による情報処理について更に説明する。図２は、処理部６による情報処理を示すフローチャートである。図２に示すように、処理部６は、情報処理装置５が備える操作部を介して、ユーザーから加工画像データの生成処理の開始が指示されると、図２に示す情報処理を開始する。
【００３３】
処理部６は、まず、ステップＳ１０において、伸長情報に基づいて被装着物の各部のサイズを測定する。処理部６は、被装着物の各部のサイズを測定した後に、ステップＳ２０において、縮小情報に基づいて縮小状態の記録媒体の各部のサイズを測定する。処理部６は、縮小状態の記録媒体の各部のサイズを測定した後に、ステップＳ３０において、被装着物の各部のサイズと縮小状態の記録媒体の各部のサイズとに基づいて伸縮率と伸縮方向とを算出する。
【００３４】
処理部６は、伸縮率と伸縮方向とを算出した後に、ステップＳ４０において、算出した伸縮率と伸縮方向とを記録媒体の各部に関連付けて記憶部７に記憶させる。処理部６は、伸縮率と伸縮方向とを記憶させた後に、ステップＳ５０において、表示画像が形成される記録媒体の位置に基づいて、記憶部７に記憶された各部の伸縮方向及び伸縮率のうちから、表示画像が形成される位置に対応する伸縮方向及び伸縮率を特定する。処理部６は、伸縮率及び伸縮方向を特定した後に、ステップＳ６０において、特定した伸縮方向及び伸縮率に基づいて、縮小画像を示す加工画像データを生成する。処理部６は、加工画像データを生成した後に、ステップＳ７０において、加工画像データを画像形成装置４に出力して、図２に示す処理を終了する。
【００３５】
次に、図３を参照して、画像形成装置４によって画像が形成された記録媒体Ｔについて説明する。図３（ａ）は、縮小状態の記録媒体Ｔの一例を示す図であり、図３（ｂ）は、伸長状態の記録媒体Ｔの一例を示す図である。詳しくは、図３（ａ）及び図３（ｂ）に示す記録媒体Ｔは、Ｔシャツである。また、図３（ａ）及び図３（ｂ）に示す記録媒体Ｔは、画像Ｐを有する。
【００３６】
図３（ａ）に示すように、縮小状態の記録媒体Ｔ１には、図１及び図２を参照して説明した縮小画像Ｐ１が形成される。また、図３（ｂ）に示すように、伸長状態の記録媒体Ｔ２は、表示画像Ｐ２を示す。詳しくは、縮小画像Ｐ１は、記録媒体Ｔ１とともに伸長することによって表示画像Ｐ２に遷移する。
【００３７】
本実施形態において、表示画像Ｐ２は、ＡＲマーカーである。ＡＲマーカーは、例えば、スマートフォンのような携帯端末によって読み取り得る画像である。携帯端末は、ＡＲマーカーを読み取って、ＡＲマーカーに対応する情報をユーザーに報知する。なお、縮小画像Ｐ１は、本実施形態において、表示画像Ｐ２が記録媒体Ｔの横方向に縮んだ画像である。したがって、携帯端末が縮小画像Ｐ１をＡＲマーカーとして認識することは困難である。
【００３８】
本実施形態の画像形成システム１では、図３（ａ）に示すように、縮小状態の記録媒体Ｔ１に縮小画像Ｐ１が形成される。縮小画像Ｐ１は、記録媒体Ｔが被装着物に装着される際の記録媒体Ｔの伸縮率及び伸縮方向に対応するように表示画像Ｐ２を縮小して生成される。したがって、縮小状態の記録媒体Ｔ１が被装着物に装着されて伸長状態の記録媒体Ｔ２に遷移する際に、縮小画像Ｐ１は、図３（ｂ）に示すように、記録媒体Ｔの伸縮率及び伸縮方向に応じて表示画像Ｐ２に遷移する。よって、本実施形態の画像形成システム１では、伸縮性を有する記録媒体Ｔの伸長時にデザインが損なわれない画像Ｐを形成することができる。
【００３９】
以上、図１から図３を参照して、本発明の実施形態に係る画像形成システム１について説明した。但し、本発明は、本実施形態に限られるものではなく、その要旨を逸脱しない範囲で種々の態様において実施することが可能である。
【００４０】
例えば、本発明の実施形態では、搬送中の記録媒体Ｔに向けて記録ヘッドからインクが吐出されていたが、本発明はこれに限定されない。すなわち、記録媒体Ｔに縮小画像Ｐ１が形成されるように記録ヘッドが移動してもよい。
【００４１】
また、本発明の実施形態では、表示画像Ｐ２が形成される記録媒体Ｔの位置を示す位置情報が外部入力装置８から入力されたが、本発明はこれに限定されない。表示画像Ｐ２が形成される記録媒体Ｔの位置を示す位置情報は、例えば、撮像装置２から情報処理装置５に入力されてもよい。
【００４２】
図４は、本発明の他の実施形態の画像形成システム１を示すブロック図である。図４に示す画像形成システム１は、投影装置３を備える点で、図１に示す画像形成システム１と異なる。
【００４３】
投影装置３は、元画像データが示す表示画像Ｐ２を被装着物に投影する。投影装置３は、例えば、プロジェクターである。図４に示す画像形成システム１では、撮像装置２は、表示画像Ｐ２が投影された被装着物を撮像した撮像画像を情報処理装置５に出力する。この結果、記録媒体Ｔに形成される表示画像Ｐ２の位置を示す位置情報が情報処理装置５に入力される。情報処理装置５は、表示画像Ｐ２が投影された被装着物を撮像した撮像画像から、被装着物における表示画像Ｐ２の投影位置を判定する。
【００４４】
また、本発明の実施形態では、算出部６１は、被装着部の複数個所で被装着物の各部の長さを測定していたが、本発明はこれに限定されない。例えば、情報処理装置５は、位置情報に基づいて、被装着物の一部のサイズを測定してもよい。被装着物において、サイズが測定される一部は、表示画像Ｐ２が形成される位置に対応する。
【００４５】
また、本発明の実施形態では、算出部６１は、縮小状態の記録媒体Ｔ１の複数個所で縮小状態の記録媒体Ｔ１の各部の長さを測定していたが、本発明はこれに限定されない。例えば、情報処理装置５は、位置情報に基づいて、縮小状態の記録媒体Ｔ１の一部のサイズを測定してもよい。縮小状態の記録媒体Ｔ１において、サイズが測定される一部は、表示画像Ｐ２が形成される位置に対応する。
【００４６】
また、本発明の実施形態では、被装着物の各部のサイズ及び縮小状態の記録媒体Ｔ１の各部のサイズは、撮像装置２によって撮像された撮像画像を画像処理して測定していたが、本発明はこれに限定されない。被装着物の各部のサイズは、例えば、被装着物を実測して得られる数値であってもよい。また、縮小状態の記録媒体Ｔ１の各部のサイズは、縮小状態の記録媒体Ｔ１を実測して得られる数値であってもよい。実測には、例えば、メジャーのような測定器具が用いられる。
【００４７】
また、本発明の実施形態では、撮像装置２は、情報処理装置５に縮小情報を入力していたが、本発明はこれに限定されない。縮小情報は、例えば、外部入力装置８から情報処理装置５に入力されてもよい。
【００４８】
また、本発明の実施形態では、画像形成装置４と情報処理装置５とが接続されていたが、本発明はこれに限定されない。画像形成装置４は、情報処理装置５の機能を有してもよい。
【００４９】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００５０】
本発明は、伸縮性を有する記録媒体に画像を形成する画像形成装置を備えた画像形成システムに利用可能である。
【符号の説明】
【００５１】
１        画像形成システム
４        画像形成装置
５        情報処理装置
Ｔ        記録媒体
Ｐ１      縮小画像
Ｐ２      表示画像
【図１】
2018165883.tif 000003
【図２】
2018165883.tif 000004
【図３】
2018165883.tif 000005
【図４】
2018165883.tif 000006